【手続補正書】
【提出日】平成20年1月30日(2008.1.30)
【手続補正１】
【補正対象書類名】明細書
【補正対象項目名】発明の名称
【補正方法】変更
【補正の内容】
【発明の名称】データベース装置、著作物作成支援装置、著作物作成支援方法及び著作物作成支援システム
【手続補正２】
【補正対象書類名】明細書
【補正対象項目名】特許請求の範囲
【補正方法】変更
【補正の内容】
【特許請求の範囲】
【請求項１】  情報を蓄積するデータベース装置であって、
上記データベースには、
著作物と、
上記著作物を作成した１以上の著作者に関連する著作者情報と、
上記著作物に対する上記著作者の少なくとも一の寄与の度合いを表す寄与情報と
が記録されていることを特徴とするデータベース装置。
【請求項２】  請求項１記載のデータベース装置において、
上記著作物は文書情報を含む著作物情報であることを特徴とするデータベース装置。
【請求項３】  請求項２記載のデータベース装置において、
上記著作物情報に対して、上記著作者情報および上記寄与情報に基づいて検索、比較または評価を行うことを特徴とするデータベース装置。
【請求項４】  請求項２記載のデータベース装置において、
上記著作物情報が更新され、新たな著作物情報として登録された場合に、
上記更新された著作物情報と共に、上記１以上の著作者情報と上記寄与情報も更新されるように構成されていることを特徴とするデータベース装置。
【請求項５】  請求項２記載のデータベース装置において、
上記１以上の著作者情報と上記寄与情報の更新は、更新前の著作者の寄与の度合いに応じて上記更新前の著作者の寄与情報を残すようにすることを特徴とするデータベース装置。
【請求項６】  データベースに蓄積された著作物情報をユーザの要求に基づいて取得し、情報伝送する情報伝送手段と、
上記データベースには、上記著作物情報を作成した著作者に関連する少なくとも１の著作者情報と、上記著作物に対する上記著作者の寄与の度合いを表す寄与情報が記録されていて、
上記データベース内に格納された著作物情報が利用されたことを検出する検出手段と、
上記検出手段により著作物情報が利用されたことを検出する毎に、上記寄与情報に基づいて上記１以上の著作者に対して報奨を与るための課金手段と
を備えたことを特徴とする著作物作成支援装置。
【請求項７】  請求項６記載の著作物作成支援装置において、
上記１以上の著作者に対して与えられる報奨の総和は、上記著作物情報の情報量に応じて変化するように構成されたことを特徴とする著作物作成支援装置。
【請求項８】  請求項６記載の著作物作成支援装置において、
上記ユーザからのフィードバック情報を入力する装置を備え、
上記１以上の著作者に対して与えられる報奨の総和は、上記フィードバック情報に応じて変化するように構成されたことを特徴とする著作物作成支援装置。
【請求項９】  データベースに蓄積された著作物情報をユーザの要求に基づいて取得して情報伝送し、
上記データベースには、上記著作物情報を作成した著作者に関連する少なくとも１の著作者情報と、上記著作物に対する上記著作者の寄与の度合いを表す寄与情報を記録し、
上記データベース内に格納された著作物情報が利用されたことを検出する検出ステップと、
上記検出ステップにより著作物情報が利用されたことを検出する毎に、上記寄与情報に基づいて上記１以上の著作者に対して報奨を与えるための課金ステップと、
を備えたことを特徴とする著作物作成支援方法。
【請求項１０】  請求項９記載の著作物作成支援方法において、
上記１以上の著作者に対して与えられる報奨の総和を、上記著作物情報の情報量に応じて変化させることを特徴とする著作物作成支援方法。
【請求項１１】  請求項９記載の著作物作成支援方法において、
上記ユーザからの上記著作物情報の評価情報を得て、上記１以上の著作者に対して与えられる報奨の総和を、上記評価情報に応じて変化させることを特徴とする著作物作成支援方法。
【請求項１２】  データベースに蓄積される著作物情報をユーザの要求に基づいて取得し、登録する登録手段と、
上記データベースは、
上記著作物情報のパーツを記録するパーツデータベースと、上記パーツの評価を記録するパーツ評価データベースと、上記パーツのダウンロード実績を記録するダウンロード実績データベースとを有し、
上記パーツデータベースから登録済みパーツを上記ダウンロード実績に基づいて読み出す読み出し制御手段と、
上記登録手段から供給される新登録パーツと上記読み出し制御手段から供給される登録済みパーツとを比較して比較結果を上記パーツデータベースに登録する比較手段と、
上記比較手段からの比較結果と上記登録手段からの評価値とに基づいて、上記登録済みパーツに対する評価値を上記パーツ評価データベースから読み出して、新パーツの評価値を上記パーツ評価データベースに登録する評価読み出し手段と、
を備えたことを特徴とする著作物作成支援装置。
【請求項１３】  データベースに蓄積される著作物情報をユーザの要求に基づいて取得し、ダウンロードするダウンロード手段と、
上記データベースは、
上記著作物情報のパーツを記録するパーツデータベースと、上記パーツの評価を記録するパーツ評価データベースと、上記パーツのダウンロード実績を記録するダウンロード実績データベースとを有し、
上記パーツデータベースから登録済みパーツを上記ダウンロード手段からのパーツ指定に基づいて読み出して上記ダウンロード手段へ供給する読み出し制御手段と、
上記登録済みパーツに対する評価値を上記パーツ評価データベースから読み出す評価読み出し手段と、
上記読み出し制御手段から供給される登録済みパーツに対して、上記登録手段から供給される評価値と上記評価読み出し手段から供給される評価値とに基づいて課金を行う課金手段と、
を備えたことを特徴とする著作物作成支援装置。
【請求項１４】  データベースに蓄積される著作物情報をユーザの要求に基づいて取得し、登録する登録装置と、上記データベースに蓄積される情報をユーザの要求に基づいて取得し、ダウンロードするダウンロード装置とを有し、
上記データベースは、
上記著作物情報のパーツを記録するパーツデータベースと、上記パーツの評価を記録するパーツ評価データベースと、上記パーツのダウンロード実績を記録するダウンロード実績データベースとを有し、
上記登録装置は、
上記パーツデータベースから登録済みパーツを上記ダウンロード実績に基づいて読み出す読み出し制御手段と、
上記登録手段から供給される新登録パーツと上記読み出し制御手段から供給される登録済みパーツとを比較して比較結果を上記パーツデータベースに登録する比較手段と、
上記比較手段からの比較結果と上記登録手段からの評価値とに基づいて、上記登録済みパーツに対する評価値を上記パーツ評価データベースから読み出して、新パーツの評価値を上記パーツ評価データベースに登録する評価読み出し手段とを有し、
上記ダウンロード装置は、
上記パーツデータベースから登録済みパーツを上記ダウンロード手段からのパーツ指定に基づいて読み出して上記ダウンロード手段へ供給する読み出し制御手段と、
上記登録済みパーツに対する評価値を上記パーツ評価データベースから読み出す評価読み出し手段と、
上記読み出し制御手段から供給される登録済みパーツに対して、上記登録手段から供給される評価値と上記評価読み出し手段から供給される評価値とに基づいて課金を行う課金手段とを有する、
ことを特徴とする著作物作成支援システム。
【手続補正３】
【補正対象書類名】明細書
【補正対象項目名】０００８
【補正方法】変更
【補正の内容】
【０００８】
このようなデータベースを使うことにより、新たな特許の明細書や論文を書こうとする著者は、短期間で論文や発明明細書の大部分を仕上げることが可能となる。この結果、真にオリジナルな部分に時間を割くことが可能となるので、結果として発明明細書や論文の品質が向上する。また、明細書や論文作成に必要となる時間も短縮されるので、結果としてより多くの発明や論文を世の中に出すことができる。本発明においては、以上のような効果をもたらすデータベース装置、著作物作成支援装置、著作物作成支援方法及び著作物作成支援システムを提案するものである。
【手続補正４】
【補正対象書類名】明細書
【補正対象項目名】０００９
【補正方法】変更
【補正の内容】
【０００９】
【課題を解決するための手段】
この発明は、情報を蓄積するデータベース装置であって、上記データベースには、著作物と、上記著作物を作成した１以上の著作者に関連する著作者情報と、上記著作物に対する上記著作者の少なくとも一の寄与の度合いを表す寄与情報とが記録されていることを特徴とするデータベース装置である。
【手続補正５】
【補正対象書類名】明細書
【補正対象項目名】００１０
【補正方法】変更
【補正の内容】
【００１０】
従ってこのデータベース装置を採用することにより、以下のよう作用をする。
著作物情報を作成した著作者は、その寄与度に応じた正当な評価を受け取ることができる。この結果、多くの人が積極的に著作物情報をデータベースに登録するようになり、良質のデータベースを構成することが可能となる。
【手続補正６】
【補正対象書類名】明細書
【補正対象項目名】００１１
【補正方法】変更
【補正の内容】
【００１１】
また、この発明は、データベースに蓄積された著作物情報をユーザの要求に基づいて取得し、情報伝送する情報伝送手段と、上記データベースには、上記著作物情報を作成した著作者に関連する少なくとも１の著作者情報と、上記著作物に対する上記著作者の寄与の度合いを表す寄与情報が記録されていて、上記データベース内に格納された著作物情報が利用されたことを検出する検出手段と、上記検出手段により著作物情報が利用されたことを検出する毎に、上記寄与情報に基づいて上記１以上の著作者に対して報奨を与るための課金手段とを備えたことを特徴とする著作物作成支援装置である。
【手続補正７】
【補正対象書類名】明細書
【補正対象項目名】００１２
【補正方法】変更
【補正の内容】
【００１２】
従ってこの著作物作成支援装置を採用することにより、以下のよう作用をする。
著作物情報を作成した著作者は、その寄与度に応じた正当な評価を受け取ることができる。この結果、多くの人が積極的に著作物情報をデータベースに登録するようになり、良質のデータベースを構成することが可能となる。
【手続補正８】
【補正対象書類名】明細書
【補正対象項目名】００１３
【補正方法】変更
【補正の内容】
【００１３】
また、この発明は、データベースに蓄積された著作物情報をユーザの要求に基づいて取得して情報伝送し、上記データベースには、上記著作物情報を作成した著作者に関連する少なくとも１の著作者情報と、上記著作物に対する上記著作者の寄与の度合いを表す寄与情報を記録し、上記データベース内に格納された著作物情報が利用されたことを検出する検出ステップと、上記検出ステップにより著作物情報が利用されたことを検出する毎に、上記寄与情報に基づいて上記１以上の著作者に対して報奨を与えるための課金ステップと、を備えたことを特徴とする著作物作成支援方法である。
【手続補正９】
【補正対象書類名】明細書
【補正対象項目名】００１４
【補正方法】変更
【補正の内容】
【００１４】
従ってこの著作物作成支援方法を採用することにより、以下のよう作用をする。
著作物情報を作成した著作者は、その寄与度に応じた正当な評価を受け取ることができる。この結果、多くの人が積極的に著作物情報をデータベースに登録するようになり、良質のデータベースを構成することが可能となる。
【手続補正１０】
【補正対象書類名】明細書
【補正対象項目名】００１５
【補正方法】変更
【補正の内容】
【００１５】
また、この発明は、データベースに蓄積される著作物情報をユーザの要求に基づいて取得し、登録する登録手段と、上記データベースは、上記著作物情報のパーツを記録するパーツデータベースと、上記パーツの評価を記録するパーツ評価データベースと、上記パーツのダウンロード実績を記録するダウンロード実績データベースとを有し、上記パーツデータベースから登録済みパーツを上記ダウンロード実績に基づいて読み出す読み出し制御手段と、上記登録手段から供給される新登録パーツと上記読み出し制御手段から供給される登録済みパーツとを比較して比較結果を上記パーツデータベースに登録する比較手段と、上記比較手段からの比較結果と上記登録手段からの評価値とに基づいて、上記登録済みパーツに対する評価値を上記パーツ評価データベースから読み出して、新パーツの評価値を上記パーツ評価データベースに登録する評価読み出し手段と、を備えたことを特徴とする著作物作成支援装置である。
【手続補正１１】
【補正対象書類名】明細書
【補正対象項目名】００１６
【補正方法】変更
【補正の内容】
【００１６】
従ってこの著作物作成支援装置を採用することにより、以下のよう作用をする。
著作物情報を作成した著作者は、新登録パーツを登録する際に、その寄与度に応じた正当な評価を受け取ることができる。この結果、多くの人が積極的に著作物情報をデータベースに登録するようになり、良質のデータベースを構成することが可能となる。
【手続補正１２】
【補正対象書類名】明細書
【補正対象項目名】００１７
【補正方法】変更
【補正の内容】
【００１７】
また、この発明は、データベースに蓄積される著作物情報をユーザの要求に基づいて取得し、ダウンロードするダウンロード手段と、上記データベースは、上記著作物情報のパーツを記録するパーツデータベースと、上記パーツの評価を記録するパーツ評価データベースと、上記パーツのダウンロード実績を記録するダウンロード実績データベースとを有し、上記パーツデータベースから登録済みパーツを上記ダウンロード手段からのパーツ指定に基づいて読み出して上記ダウンロード手段へ供給する読み出し制御手段と、上記登録済みパーツに対する評価値を上記パーツ評価データベースから読み出す評価読み出し手段と、上記読み出し制御手段から供給される登録済みパーツに対して、上記登録手段から供給される評価値と上記評価読み出し手段から供給される評価値とに基づいて課金を行う課金手段と、を備えたことを特徴とする著作物作成支援装置である。
【手続補正１３】
【補正対象書類名】明細書
【補正対象項目名】００１８
【補正方法】変更
【補正の内容】
【００１８】
従ってこの著作物作成支援装置を採用することにより、以下のよう作用をする。
著作物情報を作成した著作者は、登録済みパーツをダウンロードする際に、その寄与度に応じた正当な評価を受け取ることができる。この結果、多くの人が積極的に著作物情報をデータベースに登録するようになり、良質のデータベースを構成することが可能となる。
【手続補正１４】
【補正対象書類名】明細書
【補正対象項目名】００１９
【補正方法】変更
【補正の内容】
【００１９】
また、この発明は、データベースに蓄積される著作物情報をユーザの要求に基づいて取得し、登録する登録装置と、上記データベースに蓄積される情報をユーザの要求に基づいて取得し、ダウンロードするダウンロード装置とを有し、上記データベースは、上記著作物情報のパーツを記録するパーツデータベースと、上記パーツの評価を記録するパーツ評価データベースと、上記パーツのダウンロード実績を記録するダウンロード実績データベースとを有し、上記登録装置は、上記パーツデータベースから登録済みパーツを上記ダウンロード実績に基づいて読み出す読み出し制御手段と、上記登録手段から供給される新登録パーツと上記読み出し制御手段から供給される登録済みパーツとを比較して比較結果を上記パーツデータベースに登録する比較手段と、上記比較手段からの比較結果と上記登録手段からの評価値とに基づいて、上記登録済みパーツに対する評価値を上記パーツ評価データベースから読み出して、新パーツの評価値を上記パーツ評価データベースに登録する評価読み出し手段とを有し、上記ダウンロード装置は、上記パーツデータベースから登録済みパーツを上記ダウンロード手段からのパーツ指定に基づいて読み出して上記ダウンロード手段へ供給する読み出し制御手段と、上記登録済みパーツに対する評価値を上記パーツ評価データベースから読み出す評価読み出し手段と、上記読み出し制御手段から供給される登録済みパーツに対して、上記登録手段から供給される評価値と上記評価読み出し手段から供給される評価値とに基づいて課金を行う課金手段とを有する、ことを特徴とする著作物作成支援システムである。
【手続補正１５】
【補正対象書類名】明細書
【補正対象項目名】００２０
【補正方法】変更
【補正の内容】
【００２０】
従ってこの著作物作成支援システムを採用することにより、以下のよう作用をする。
著作物情報を作成した著作者は、新登録パーツを登録する際または登録済みパーツをダウンロードする際に、その寄与度に応じた正当な評価を受け取ることができる。この結果、多くの人が積極的に著作物情報をデータベースに登録するようになり、良質のデータベースを構成することが可能となる。